【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
ユーザーの操作に基づいて、表示手段に表示された画像の表示倍率を変更する倍率変更手段と、
前記倍率変更手段によって変更された画像の表示倍率を示す倍率情報を記憶する記憶手段と、
前記表示手段に表示された画像を他の画像に切り替える切替指示を受け付ける受付手段と、
前記受付手段で第１の画像から第２の画像に切り替える切替指示を受け付けたことに応じて、前記記憶手段で記憶した、前記第２の画像への切替前に表示されていた画像の表示倍率を示す倍率情報に基づく前記第２の画像の表示倍率と、前記第２の画像を前記表示手段における表示領域に合わせて該表示領域に収まるサイズとするためのフィット倍率とのうち、前記倍率情報に基づく表示倍率の方が小さい場合には、前記フィット倍率以上の倍率で前記第２の画像を表示し、前記倍率情報に基づく表示倍率の方が大きい場合には、当該倍率情報に基づく表示倍率で前記第２の画像を表示するように制御する表示制御手段と
を有することを特徴とする表示制御装置。
【請求項２】
前記第２の画像を表示した状態で前記倍率変更手段による表示倍率の変更が行われることなく前記受付手段で前記第２の画像から第３の画像に切り替える切替指示を受け付けたことに応じて、前記表示制御手段は、前記記憶手段で記憶した倍率情報に基づく前記第３の画像の表示倍率と、前記第３の画像のフィット倍率とのうち、前記倍率情報に基づく表示倍率の方が大きい場合には、前記第２の画像を表示していた際の表示倍率に関わらず、前記記憶手段に記憶された前記倍率情報に基づく表示倍率で前記第３の画像を表示するように制御することを特徴とする請求項１に記載の表示制御装置。
【請求項３】
前記記憶手段は、前記切替指示に応じて表示された画像が切り替わったことに応じては前記倍率情報を更新しないことを特徴とする請求項１または２に記載の表示制御装置。
【請求項４】
前記第２の画像に切り替える際に前記記憶手段によって記憶されている前記倍率情報は、前記第１の画像を表示している際に前記倍率変更手段によって表示倍率が変更されていた場合は、表示されていた前記第１の画像の表示倍率を示す情報であることを特徴とする請求項１乃至３の何れか１項に記載の表示制御装置。
【請求項５】
表示された画像の表示倍率を予め定められた複数の倍率の中で段階的に切り替える操作を受け付ける第１の操作受付手段と、表示された画像の表示倍率を前記第１の操作受付手段よりも細かい単位で変更する操作を受け付ける第２の操作受付手段とを有し、
前記倍率変更手段は、前記第１の操作受付手段で受け付けた操作及び前記第２の操作受付手段で受け付けた操作に基づいて画像の表示倍率を変更することを特徴とする請求項１乃至４の何れか１項に記載の表示制御装置。
【請求項６】
画像が前記表示領域に収まる最大のサイズで表示されていた場合に前記第１の操作受付手段によって拡大させる操作を１回受け付けると、前記倍率変更手段は、表示されていた画像の長辺が前記表示領域の長辺と一致する表示倍率よりも大きい表示倍率となるように前記表示されていた画像の表示倍率を変更することを特徴とする請求項５に記載の表示制御装置。
【請求項７】
前記表示手段に対するタッチ操作を検出する検出手段を更に有し、
前記第２の操作受付手段は、前記検出手段によって検出された２箇所のタッチ位置の間の距離が変化するピンチアウトまたはピンチイン操作を、表示された画像の表示倍率を前記第１の操作受付手段よりも細かい単位で変更する操作として受け付けることを特徴とする請求項１乃至６の何れか１項に記載の表示制御装置。
【請求項８】
前記表示制御手段は、前記受付手段で第１の画像から第２の画像に切り替える切替指示を受け付けたことに応じて、前記記憶手段で記憶した倍率情報に基づく前記第２の画像の表示倍率と、前記第２の画像を前記表示手段における表示領域に収まる最大のサイズとするためのフィット倍率とのうち、前記倍率情報に基づく表示倍率の方が小さい場合には、前記フィット倍率よりも大きい倍率で前記第２の画像を変倍して表示するように制御することを特徴とする請求項１乃至７の何れか１項に記載の表示制御装置。
【請求項９】
前記倍率情報は、画像の長辺が前記表示領域の長辺と一致する表示倍率である基準倍率からの変倍率を示す情報であることを特徴とする請求項１乃至８の何れか１項に記載の表示制御装置。
【請求項１０】
前記表示制御手段は、撮像手段と、該撮像手段で撮像された画像を表示可能な表示手段とを有する撮像装置であることを特徴とする請求項１乃至９のいずれか１項に記載の表示制御装置。
【請求項１１】
前記フィット倍率は、画像が前記表示領域に収まる最大のサイズとするための倍率であることを特徴とする請求項１に記載の表示制御装置。
【請求項１２】
ユーザーの操作に基づいて、表示手段に表示された画像の表示倍率を変更する倍率変更ステップと、
前記倍率変更ステップによって変更された画像の表示倍率を示す倍率情報を記憶する記憶ステップと、
前記表示手段に表示された画像を他の画像に切り替える切替指示を受け付ける受付ステップと、
前記受付ステップで第１の画像から第２の画像に切り替える切替指示を受け付けたことに応じて、前記記憶ステップで記憶した、前記第２の画像への切替前に表示されていた画像の表示倍率を示す倍率情報に基づく前記第２の画像の表示倍率と、前記第２の画像を前記表示手段における表示領域に合わせて該表示領域に収まるサイズとするためのフィット倍率とのうち、前記倍率情報に基づく表示倍率の方が小さい場合には、前記フィット倍率以上の倍率で前記第２の画像を表示し、前記倍率情報に基づく表示倍率の方が大きい場合には、当該倍率情報に基づく表示倍率で前記第２の画像を表示するように制御する表示制御ステップと
を有することを特徴とする制御方法。
【請求項１３】
コンピュータを、請求項１乃至１１のいずれか１項に記載された表示制御装置の各手段として機能させるためのプログラム。
【請求項１４】
コンピュータを、請求項１乃至１１のいずれか１項に記載された表示制御装置の各手段として機能させるためのプログラムを格納したコンピュータが読み取り可能な記憶媒体。
【手続補正２】
【補正対象書類名】明細書
【補正対象項目名】０００６
【補正方法】変更
【補正の内容】
【０００６】
上記課題を解決するために、本発明の表示制御装置は、
ユーザーの操作に基づいて、表示手段に表示された画像の表示倍率を変更する倍率変更手段と、
前記倍率変更手段によって変更された画像の表示倍率を示す倍率情報を記憶する記憶手段と、
前記表示手段に表示された画像を他の画像に切り替える切替指示を受け付ける受付手段と、
前記受付手段で第１の画像から第２の画像に切り替える切替指示を受け付けたことに応じて、前記記憶手段で記憶した、前記第２の画像への切替前に表示されていた画像の表示倍率を示す倍率情報に基づく前記第２の画像の表示倍率と、前記第２の画像を前記表示手段における表示領域に合わせて該表示領域に収まるサイズとするためのフィット倍率とのうち、前記倍率情報に基づく表示倍率の方が小さい場合には、前記フィット倍率以上の倍率で前記第２の画像を表示し、前記倍率情報に基づく表示倍率の方が大きい場合には、当該倍率情報に基づく表示倍率で前記第２の画像を表示するように制御する表示制御手段と
を有することを特徴とする。